(57)【要約】【課題】ユーザによる操作モードの切り換え回数を少なくすることができる、操作装置、操作方法および操作プログラムを提供する。【解決手段】操作装置２１０は、携帯端末１１０とデータ通信を行うデータ通信部２５２と、データ通信部２５２を通じて携帯端末１１０を操作する端末制御部２６２と、携帯端末を操作する操作主体の切り換えを指示する操作入力に応じて、操作主体を、携帯端末から操作装置へ、または操作装置から携帯端末へと切り換えるとともに、操作入力に応じた操作主体の切り換え後に、操作主体となっている方に対して所定の操作が実行されると、操作主体の切り換えを指示する操作入力なしに、操作主体を切り換え前のものに戻す操作主体制御部２６８とを備える。【選択図】図２
2012010252.tif 000002
【特許請求の範囲】
【請求項１】
携帯端末を操作する操作装置において、
前記携帯端末とデータ通信を行うデータ通信部と、
前記データ通信部を通じて前記携帯端末を操作する端末制御部と、
前記携帯端末を操作する操作主体の切り換えを指示する操作入力に応じて、前記操作主体を、前記携帯端末から前記操作装置へ、または前記操作装置から前記携帯端末へと切り換えるとともに、前記操作入力に応じた操作主体の切り換え後に、操作主体となっている方に対して所定の操作が実行されると、操作主体の切り換えを指示する操作入力なしに、操作主体を切り換え前のものに戻す操作主体制御部と、
を備えることを特徴とする操作装置。
【請求項２】
前記所定の操作は、前記携帯端末の記憶媒体が記憶している複数のコンテンツのうちのいずれか１のコンテンツの再生を開始させることを指示する操作であることを特徴とする請求項１に記載の操作装置。
【請求項３】
前記携帯端末は、電話機能を有しており、
前記所定の操作は、前記携帯端末に発呼させることを指示する操作であることを特徴とする請求項１または２に記載の操作装置。
【請求項４】
前記操作主体制御部は、前記操作入力に応じた操作主体の切り換え後、第１所定時間、前記操作入力に応じた操作主体の切り換え後に操作主体となっている方に対して操作が実行されなかった場合、操作主体を切り換え前のものに戻すことを特徴とする請求項１から３のいずれか１項に記載の操作装置。
【請求項５】
操作装置を用いた携帯端末の操作方法において、
前記携帯端末を操作する操作主体の切り換えを指示する操作入力に応じて、前記操作主体を、前記携帯端末から前記操作装置へ、または前記操作装置から前記携帯端末へと切り換えるとともに、前記操作入力に応じた操作主体の切り換え後に操作主体となっている方に対して所定の操作が実行されると、操作主体の切り換えを指示する操作入力なしに、操作主体を切り換え前のものに戻すことを特徴とする操作方法。
【請求項６】
携帯端末を外部から操作することができる操作装置のコンピュータに、
前記携帯端末を操作する操作主体の切り換えを指示する操作入力に応じて、前記操作主体を、前記携帯端末から前記操作装置へ、または前記操作装置から前記携帯端末へと切り換えるとともに、前記操作入力に応じた操作主体の切り換え後に操作主体となっている方に対して所定の操作が実行されると、操作主体の切り換えを指示する操作入力なしに、操作主体を切り換え前のものに戻すステップを実行させることを特徴とする操作プログラム。
【発明の詳細な説明】
【技術分野】
【０００１】
本発明は、携帯端末を操作することが可能な操作装置、操作方法および操作プログラムに関する。
【背景技術】
【０００２】
近年、ハードディスクや半導体メモリ等の小型化、高密度化により、大量の音楽データや映像データを保持しうる、携帯性を有する携帯端末が広く普及している。また、このような携帯端末を外部から操作することができる操作装置も普及しており、ユーザは、そのような操作装置によって携帯端末を操作し、携帯端末に含まれる音楽や映像といったコンテンツを車載装置等のスピーカを通じて出力させることができる。こうすることで、ユーザは、携帯端末のコンテンツを乗車中にも楽しむことができる。
【０００３】
そのような携帯端末を外部から操作することができる操作装置の中には、操作装置を通じて携帯端末を間接的に操作する操作モードと、携帯端末に直接操作入力を行って携帯端末を直接操作する操作モードとを切り換える機能を備えているものもあり、ユーザが必要に応じて操作モードを切り換えることができる。
【０００４】
例えば、特許文献１には、上述したような、携帯端末を外部から操作することができる操作装置が記載されている。
【先行技術文献】
【特許文献】
【０００５】
【特許文献１】特開２００８−２１３３７号公報
【発明の概要】
【発明が解決しようとする課題】
【０００６】
しかし、上述した従来技術では、ユーザが操作モードを切り換える場合に、自ら操作装置を操作して操作モードを切り換えなければならず、使い勝手が悪かった。
【０００７】
そこで本発明は、このような課題に鑑み、ユーザによる操作モードの切り換え回数を少なくすることができる、操作装置、操作方法および操作プログラムを提供することを目的としている。
【課題を解決するための手段】
【０００８】
上記課題を解決するために、本発明の、携帯端末を操作する操作装置は、携帯端末とデータ通信を行うデータ通信部と、データ通信部を通じて携帯端末を操作する端末制御部と、携帯端末を操作する操作主体の切り換えを指示する操作入力に応じて、操作主体を、携帯端末から操作装置へ、または操作装置から携帯端末へと切り換えるとともに、操作入力に応じた操作主体の切り換え後に、操作主体となっている方に対して所定の操作が実行されると、操作主体の切り換えを指示する操作入力なしに、操作主体を切り換え前のものに戻す操作主体制御部と、を備えることを特徴とする。
所定の操作は、携帯端末の記憶媒体が記憶している複数のコンテンツのうちのいずれか１のコンテンツの再生を開始させることを指示する操作であってもよい。
携帯端末は、電話機能を有しており、所定の操作は、携帯端末に発呼させることを指示する操作であってもよい。
操作主体制御部は、操作入力に応じた操作主体の切り換え後、第１所定時間、操作入力に応じた操作主体の切り換え後に操作主体となっている方に対して操作が実行されなかった場合、操作主体を切り換え前のものに戻してもよい。
上記課題を解決するために、本発明の、操作装置を用いた携帯端末の操作方法は、携帯端末を操作する操作主体の切り換えを指示する操作入力に応じて、操作主体を、携帯端末から操作装置へ、または操作装置から携帯端末へと切り換えるとともに、操作入力に応じた操作主体の切り換え後に操作主体となっている方に対して所定の操作が実行されると、操作主体の切り換えを指示する操作入力なしに、操作主体を切り換え前のものに戻すことを特徴とする。
上記課題を解決するために、本発明の操作プログラムは、携帯端末を外部から操作することができる操作装置のコンピュータに、携帯端末を操作する操作主体の切り換えを指示する操作入力に応じて、操作主体を、携帯端末から操作装置へ、または操作装置から携帯端末へと切り換えるとともに、操作入力に応じた操作主体の切り換え後に操作主体となっている方に対して所定の操作が実行されると、操作主体の切り換えを指示する操作入力なしに、操作主体を切り換え前のものに戻すステップを実行させることを特徴とする。
上述した操作装置の技術的思想に基づく構成要素やその説明は、当該操作方法および当該操作プログラムにも適用可能である。
【発明の効果】
【０００９】
以上説明したように本発明の操作装置、操作方法および操作プログラムによれば、ユーザによる操作モードの切り換え回数を少なくすることができる。
【図面の簡単な説明】
【００１０】
【図１】第１の実施形態にかかる操作システムを説明するための説明図である。
【図２】第１の実施形態にかかる操作装置の概略的な機能を示した機能ブロック図である。
【図３】操作装置の使用形態を説明するための説明図である。
【図４】第１の実施形態にかかる操作方法の処理の流れを説明するためのシーケンス図である。
【図５】表示制御部と操作主体制御部の処理を説明するための説明図である。
【図６】表示制御部と操作主体制御部の処理を説明するための説明図である。
【図７】第１の実施形態にかかる操作方法の処理の流れを示すフローチャートである。
【図８】第２の実施形態にかかる操作装置の概略的な機能を示した機能ブロック図である。
【図９】第２の実施形態にかかる操作方法の処理の流れを示すフローチャートである。
【発明を実施するための形態】
【００１１】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
（第１の実施形態：操作システム１００）
図１は、第１の実施形態にかかる操作システム１００を説明するための説明図である。特に、図１（ａ）は、操作システム１００を構成する各装置の概略的な接続関係を示し、図１（ｂ）は、携帯端末１１０の外観斜視図を示す。図１（ａ）に示すように、操作システム１００は、携帯端末１１０と、操作装置２１０とを含んで構成される。
【００１３】
図１（ｂ）に示すように、携帯端末１１０は、端末表示部１１２と、端末表示部１１２に重ねて配置された端末タッチパネル１１４とを備えている。例えば、ユーザが、端末タッチパネル１１４に指で触れて操作すると、携帯端末１１０は、自体が有するアプリケーションを実行する。
【００１４】
本実施形態では、操作装置２１０の操作対象である携帯端末１１０として、通話機能や、ネットワーク通信機能、スケジュール管理等の情報処理機能等を備えたスマートフォンを例に挙げて説明するが、これに限定されず、ポータブルメディアプレーヤ、音楽プレーヤ、携帯電話、ＰＨＳ（Personal Handy-phone System）、携帯情報端末（ＰＤＡ：Personal Digital Assistant）、ＰＣ、デジタルカメラ、デジタルビデオカメラ、ポータブルテレビ、ゲーム機器等、表示部と、表示部に重ねて配置されたタッチパネルとを有する様々な電子機器を操作装置２１０の操作対象とすることもできる。ユーザは、操作装置２１０を通じて、これらの操作対象を操作することができる。
【００１５】
携帯端末１１０は、ＵＳＢ（Universal Serial Bus）、ＵＡＲＴ（Universal Asynchronous Receiver Transmitter）、Ｂｌｕｅｔｏｏｔｈ（登録商標）、ＩＥＥＥ８０２．１１ａ／ｂ（ＷｉＦｉ）、ＩＥＥＥ８０２．１１ｇ／ｊ／ｎ、ＷｉＭＡＸ（Worldwide Interoperability for Microwave Access）、赤外線通信等により操作装置２１０とデータ通信を行う端末通信部１１６も備える。ここでは、図１（ａ）に示すように、ＵＳＢやＵＡＲＴといった有線で接続されている例を示す。
【００１６】
操作装置２１０は、例えば、オーディオシステムやカーナビゲーションシステム等の機能も有する車載装置であり、操作装置２１０に設けられた操作部を通じたユーザの操作入力を受けて、操作装置２１０に設けられたオーディオ再生機能やカーナビゲーション機能等様々な機能を実行することができる。また、操作装置２１０は、制御線を介して、上述した別体の携帯端末１１０と接続されることで、ユーザの操作入力を受けて、携帯端末１１０を操作することもできる。操作装置２１０は、搭乗者がいる確率が高い運転席や助手席等に近い位置に設置されるため、運転席や助手席にいるユーザは操作装置２１０を操作することができる。一方、携帯端末１１０は、自由に移動させることができるので、運転席や助手席にいるユーザのみならず、リアシート（後部座席）等にいるユーザも携帯端末１１０を操作することが可能である。
【００１７】
本実施形態の操作装置２１０は、操作装置２１０の操作部へのユーザによる操作入力に応じて、操作システム１００の操作モードを、直接操作モードと間接操作モードとに切り換える機能を備えている。ここで、直接操作モードは、携帯端末１１０自体に設けられた端末タッチパネル１１４等の操作部を通じて携帯端末１１０を直接操作することができるモードであり、間接操作モードは、操作装置２１０の操作部を通じて間接的に携帯端末１１０を操作することができるモードである。
【００１８】
例えば、ユーザが携帯端末１１０に含まれる音楽コンテンツの再生を試みたとき、直接操作モードが選択されていると、携帯端末１１０への操作入力は可能であるが、操作装置２１０を通じた操作入力は制限される。そこでユーザが携帯端末１１０の端末タッチパネル１１４を通じて操作入力を行うと、携帯端末１１０は、ユーザによる端末タッチパネル１１４への例えば音楽コンテンツの再生を指示する、その操作入力を受け付け、携帯端末１１０は音楽コンテンツの再生を開始する。
【００１９】
一方、ユーザが携帯端末１１０に含まれる音楽コンテンツの再生を試みたとき、間接操作モードが選択されていると、携帯端末１１０への操作入力は制限され、その代わりに操作装置２１０を通じた操作入力が可能となる。そこでユーザが操作装置２１０の操作部を通じて操作入力を行うと、操作装置２１０は、ユーザによる操作装置２１０の操作部への例えば音楽コンテンツの再生を指示する、その操作入力を受け付け、その操作入力に応じた制御信号を携帯端末１１０に送信する。そして、携帯端末１１０はその制御信号を受けて音楽コンテンツの再生を開始する。このように、携帯端末１１０を操作することができるのは、携帯端末１１０自体、または外部の操作装置２１０のいずれかに制限されていることが多い。
【００２０】
携帯端末１１０上で再生された音楽コンテンツの音声信号は、端末通信部１１６を通じて操作装置２１０に送信される。操作装置２１０は、音楽コンテンツの音声信号を受信して、操作装置２１０の音声出力部または操作装置２１０に接続されたスピーカを通じて、その音声信号に基づいた音声を出力する。こうして、ユーザは、携帯端末１１０に含まれる音楽コンテンツを車両内のスピーカで楽しむことが可能となる。
【００２１】
しかし、このような操作主体を単に切り換える技術では、常に、ユーザ自らが操作装置を操作して操作モードを切り換えなければならず、手間がかかっていた。例えば、操作装置は、搭乗者がいる確率が高い運転席や助手席等に近い位置に設置されるため、操作モードを、操作装置を通じて携帯端末１１０を操作することができる間接操作モードに設定したとしても、一旦、携帯端末１１０を直接操作することができる直接操作モードに切り換えられてしまうと、操作装置を通じて携帯端末１１０を操作することができず、その後に操作装置を通じた携帯端末１１０の操作を所望する場合、再度携帯端末１１０を操作して間接操作モードに切り換えなければならなかった。なお、操作主体とは、携帯端末１１０を操作することができる機器のことである。つまり、直接操作モードのときの操作主体は携帯端末１１０であり、間接操作モードのときの操作主体は操作装置２１０である。
【００２２】
そこで、本実施形態では、ユーザによる操作モードの切り換え回数を少なくすることができる操作装置２１０について説明する。以下、操作装置２１０を構成する各機能部について説明し、その後、当該操作装置２１０を用いた携帯端末１１０の操作方法について説明する。
【００２３】
（操作装置２１０）
図２は、第１の実施形態にかかる操作装置２１０の概略的な機能を示した機能ブロック図であり、図３は、操作装置２１０の使用形態を説明するための説明図である。図２および図３に示すように、操作装置２１０は、操作部２５０と、データ通信部２５２と、音声入力部２５４と、装置表示部２５６と、音声出力部２５８と、中央制御部２６０とを含んで構成される。なお、ここでは、携帯端末１１０に含まれる音楽コンテンツを再生する場合を例に挙げて説明する。
【００２４】
操作部２５０は、操作キー、十字キー、ジョイスティック、後述する装置表示部２５６の表示面に重ねて配置されたタッチパネル２５０ａ等で構成され、ユーザの操作入力を受け付ける。
【００２５】
データ通信部２５２は、例えば、上述したＵＳＢやＵＡＲＴといった有線を通じて携帯端末１１０とデータ通信を行う。
【００２６】
音声入力部２５４は、マイクロホン等で構成され、音声を電気的な音声信号に変換して、中央制御部２６０に出力する。
【００２７】
装置表示部２５６は、液晶ディスプレイ、有機ＥＬ(Electro Luminescence)ディスプレイ等で構成され、後述する表示制御部２６４の制御指令に応じて、地図情報や、操作装置２１０が設置された車両の目的地までのルート等を示す様々な画像を表示する。また本実施形態において装置表示部２５６は、ＧＵＩ（Graphical User Interface）用の画像、携帯端末１１０が送信する画像等を表示する。
【００２８】
音声出力部２５８は、スピーカ等で構成され、後述する音声制御部２６６の制御指令に応じて、操作装置２１０が設置された車両の目的地の方向を示す音声や、操作部２５０の操作を案内する音声等の様々な音声を出力する。また本実施形態において音声出力部２５８は、データ通信部２５２を通じて携帯端末１１０から入力される携帯端末１１０上で再生された音楽コンテンツの音声信号に基づいた音声を出力する。
【００２９】
中央制御部２６０には、中央処理装置（ＣＰＵ）や信号処理装置（ＤＳＰ：Digital Signal Processor）、プログラム等が格納されたＲＯＭやメモリ、ワークエリアとしてのＲＡＭ等を含む半導体集積回路を用いることができ、中央制御部２６０は、操作装置２１０全体を管理および制御する。本実施形態において、中央制御部２６０は、端末制御部２６２、表示制御部２６４、音声制御部２６６、操作主体制御部２６８としても機能する。
【００３０】
端末制御部２６２は、後述する操作主体制御部２６８が操作主体を当該操作装置２１０としている間、すなわち間接操作モードである場合に、操作部２５０へのユーザの操作入力に応じた制御信号を、データ通信部２５２を通じて携帯端末１１０に送信することにより、携帯端末１１０を操作する。端末制御部２６２の具体的な動作については、後に説明する操作装置２１０を用いた携帯端末１１０の操作方法で詳述する。
【００３１】
表示制御部２６４は、地図情報や、操作装置２１０が設置された車両の目的地までのルートといった様々な画像を装置表示部２５６に表示させる。本実施形態において表示制御部２６４は、データ通信部２５２を通じて取得した映像データに基づく映像も装置表示部２５６に表示させる。
【００３２】
また、本実施形態において表示制御部２６４は、携帯端末１１０から受信した、端末表示部１１２に現在表示させているＧＵＩ用の画像に含まれるアイコンに対応した機能を示す情報である操作内容データを示す画像を装置表示部２５６に表示させる。携帯端末１１０は、後述する操作装置２１０の操作主体制御部２６８が間接操作モードに切り換えたときに送信する切換信号に基づいて、端末表示部１１２に現在表示させているＧＵＩ用の画像に含まれるアイコンに対応した機能を示す情報を操作内容データとして操作装置２１０に送信している。ここで、表示制御部２６４は、携帯端末１１０から送信された操作内容データを再構築し、再構築した操作内容データに基づく画像を装置表示部２５６に表示させる。
【００３３】
音声制御部２６６は、操作装置２１０が設置された車両の目的地の方向を示す音声や、操作部２５０の操作を案内する音声、データ通信部２５２を通じて携帯端末１１０から入力される、携帯端末１１０上で再生された音楽コンテンツの音声信号に基づいた音声等の様々な音声を音声出力部２５８に出力させる。また音声制御部２６６は、音声入力部２５４が変換した音声信号を、データ通信部２５２に出力する。音声入力部２５４から得た音声信号は、例えば携帯端末１１０が有する電話機能に用いられる。
【００３４】
操作主体制御部２６８は、ユーザによる、携帯端末１１０を操作する操作主体の切換えを指示する操作入力に応じて、操作主体を、携帯端末１１０から操作装置２１０へ、または操作装置２１０から携帯端末１１０へ切り換える。例えば、ユーザが、操作部２５０を構成する所定のキー２５０ｂを押下すると、操作主体制御部２６８は、その時点で設定されている操作モードが間接操作モードである場合には直接操作モードに、直接操作モードである場合には間接操作モードに、操作装置２１０の操作モードを切り換える。
【００３５】
また、操作主体制御部２６８は、操作主体の切り換えと並行して、携帯端末１１０または操作装置２１０のどちらの操作主体に切り換えたかを示す切換信号を、データ通信部２５２を通じて携帯端末１１０に送信する。
【００３６】
操作主体制御部２６８は、上述したユーザによる操作入力に応じた操作主体の切り換え後に、操作主体となっている方に対して所定の操作が実行されると、操作主体の切り換えを指示する操作入力なしに、操作主体を切り換え前のものに戻す。なお、操作主体制御部２６８は、所定の操作が実行されると、切り換え前の操作主体に戻すために、切換信号を携帯端末１１０に送信する。
【００３７】
このように、所定の操作が実行されると、操作主体制御部２６８が切り換え前の操作主体に自動的に戻すので、ユーザが自ら操作モードを切り換える手間を省くことができ、操作装置２１０の操作モードの切り換えに関する操作性を向上することが可能となる。
【００３８】
ここで、操作主体制御部２６８が、操作主体の切り換えを指示する操作入力なしに、操作主体を切り換え前のものに戻す契機となる所定の操作は、その後の連続した操作入力を要さない、操作主体を戻しても支障を来さない、携帯端末１１０の動作を実行する契機となる操作である。操作主体の切り換えを指示する操作入力なしに、操作主体を切り換え前のものに戻す契機となる所定の操作は、例えば、携帯端末１１０の記憶媒体が記憶している複数のコンテンツのうちのいずれか１のコンテンツの再生を開始させることを指示する操作（以下、単に、再生操作と称する）である。再生操作は、ユーザがアルバムの中の曲の選択を指示する操作入力を行うと自動的に再生が開始される場合の、アルバムの中の曲の選択を指示する操作入力も含む。
【００３９】
例えば、所定の操作は、ユーザが音楽コンテンツの再生を所望する場合、単にアルバムの選択を指示する操作入力、単にアルバムの中の曲の選択を指示する操作入力等ではなく、選択された曲の再生操作である。
【００４０】
したがって、間接操作モードのときの所定の操作は、再生操作を行うためのユーザによる操作部２５０（タッチパネル２５０ａ）への操作入力である。また、直接操作モードのときの所定の操作は、再生操作を行うためのユーザによる端末タッチパネル１１４への操作入力である。なお、直接操作モードの場合、操作装置２１０は、携帯端末１１０が、端末タッチパネル１１４への操作入力に応じて送信する信号を受信したことや、携帯端末１１０の再生操作に伴って送信される音声データを受信したこと、後述する携帯端末１１０に発呼させることを指示する操作に伴って送信される、通話相手から送信される音声データ受信したこと等で、携帯端末１１０で所定の操作が行われたと判断する。
【００４１】
上述のような操作を契機として、自動的に操作主体を切り換えるようにすれば、操作主体制御部２６８は、操作主体を戻す（切り換える）ことが好ましい操作に関してのみ自動的な切り換えを実行し、例えば、アルバムのリストページの切換操作や、アルバムの選択操作や、選曲操作等のさらなる操作入力が必要な操作であるにも拘わらず操作主体を自動的に戻すことがないため、より好ましい。
【００４２】
また、操作主体制御部２６８は、ユーザによる操作入力に応じた操作主体の切り換え後、第１所定時間（例えば３０秒）、ユーザによる操作入力に応じた操作主体の切り換え後に操作主体となっている方に対して何らかの操作が実行されなかった場合、操作主体を切り換え前のものに戻してもよい。
【００４３】
第１所定時間操作入力がない場合に、操作主体の切り換えが不要になったとみなし、切り換え前の操作主体に戻すことで、操作部２５０を通じて操作主体を切り換えたものの、やはり操作主体への切り換えが不要になった場合等であっても操作主体の再度の切り換え（操作主体を切り換え前のものに戻す）といった操作を行う必要がなくなる。
【００４４】
さらに、本実施形態において、操作主体制御部２６８は、所定の操作が実行されたとしても第２所定時間（例えば１０秒）は、操作主体を切り換え前のものに戻さず、ユーザによる操作入力を受け付けるように構成してもよい。
【００４５】
かかる構成により、ユーザが誤った操作入力をしてしまった場合でも、操作主体が直ちに切り換え前のものに戻ることがないため、ユーザは続けて同じ操作主体で操作入力を行うことができ、例えば、訂正の操作入力や新たな操作入力が可能となる。
【００４６】
以上説明したように、本実施形態にかかる操作装置２１０によれば、ユーザによる操作入力に応じて操作主体が切り換えられたとしても、所定の操作が実行されると、操作主体制御部２６８が操作主体を切り換え前のものに自動的に戻すので、ユーザが自ら操作モードを切り換える回数を少なくすることができる。
【００４７】
なお、ここでは、携帯端末１１０に含まれる音楽コンテンツを再生する場合を例に挙げて説明したので、操作主体制御部２６８による操作モードの切り換えの契機となる所定の操作は、音楽コンテンツの再生操作としたが、携帯端末１１０に含まれる映像データを再生する場合、操作主体制御部２６８による操作モードの切り換えの契機となる所定の操作を、映像コンテンツの再生操作等とすることもできる。
【００４８】
また、携帯端末１１０が有する電話機能を、操作装置２１０を通じてハンドフリー電話として利用することもできる。この場合、操作主体制御部２６８が切り換え前の操作主体に自動的に戻す契機となる所定の操作は、携帯端末１１０に発呼させることを指示する操作とすることもできる。例えば、ユーザが、携帯端末１１０が有する電話機能を実行する場合、電話帳をリスト化した画像表示させたり、リストから任意の人物の電話番号を選択したりする操作を実行しても、操作主体制御部２６８は、その操作を所定の操作と認識しないで操作主体を切り換え前のものに戻さない。一方、ユーザが、携帯端末１１０に、任意の電話機の電話番号へ発呼（電話を通じて相手方を呼び出すこと）させることを指示する操作を行うと、操作主体制御部２６８は、その操作（発呼）を所定の操作とみなして操作主体の切り換えを行う。この場合、発呼後のユーザが発する音声は音声入力部２５４が音声信号に変換して、かかる音声データは、データ通信部２５２を通じて携帯端末１１０に送信される。また、通話相手から送信される音声データは、携帯端末１１０から操作装置２１０へ送信され、音声データを受信した操作装置２１０は、音声出力部２５８を通じて音声データに基づく音声を出力する。
【００４９】
なお、ここではデフォルトの操作モードは予め設定されており、例えば、操作装置２１０の電源がオフになった場合は、操作モードがリセットされ、次回、電源がオンなるとまたデフォルトの操作モードが設定される。操作装置２１０のデフォルトの操作モードは、ユーザによる操作部２５０への操作入力に応じて、設定されてもよい。なお、デフォルトの操作モードの設定は、操作装置２１０の出荷時や、ユーザが操作装置２１０を搭載する車両に乗車する際等に行われるものであり、頻繁に行われないことを想定している。
【００５０】
また、コンピュータによって、操作装置２１０として機能するプログラムや当該プログラムを記録した記録媒体も提供される。
【００５１】
（操作方法）
また、上述した操作装置２１０を用いた操作方法も提供される。図４は、第１の実施形態にかかる操作方法の処理の流れを説明するためのシーケンス図であり、図５、図６は、表示制御部２６４と操作主体制御部２６８の処理を説明するための説明図である。ここでは、操作装置２１０の現在の操作モード（デフォルトの操作モード）が直接操作モードであり、ユーザによる操作部２５０への操作入力に応じて、操作主体制御部２６８が携帯端末１１０を操作する操作主体を操作装置２１０（すなわち間接操作モード）に切り換える場合を例に挙げて説明する。
【００５２】
図４に示すように、デフォルトの操作モードが直接操作モードであり、携帯端末１１０の端末表示部１１２が、図５（ａ）に示すようなＧＵＩ用の画像１２０を表示している場合に、ユーザによる操作部２５０を構成する所定のキー２５０ｂへの操作入力に応じて、操作主体制御部２６８が、操作モードを、直接操作モードから間接操作モードに切り換えると（Ｓ３００）、操作主体制御部２６８は、携帯端末１１０を操作する操作主体を操作装置２１０に切り換えた旨を示す切換信号（以下、単に間接操作モードを示す切換信号と称する）を送信する（Ｓ３０２）。これにより、携帯端末１１０の端末タッチパネル１１４への操作入力が制限され、その代りに操作装置２１０を通じた操作入力が有効となる。
【００５３】
切換信号送信ステップＳ３０２で操作装置２１０から送信された、間接操作モードを示す切換信号を受信すると（Ｓ３０４）、携帯端末１１０は、ＧＵＩ用の画像１２０に含まれるアイコン１２２（図５（ａ）中１２２ａ〜１２２ｅで示す）の内容をそれぞれ示す１または複数の操作内容データ（以下、単にライブラリ操作内容データと略す）を、操作装置２１０に送信する（Ｓ３０６）。
【００５４】
続いて、操作装置２１０は、携帯端末１１０から送信された１または複数のライブラリ操作内容データを受信し（Ｓ３０８）、表示制御部２６４は、１または複数のライブラリ操作内容データを再構築（加工）してリスト化し（Ｓ３１０）、１または複数のライブラリ操作内容データをそれぞれ示す１または複数のアイコンを含んで構成されるＧＵＩ用の画像２８０を装置表示部２５６に表示させる（Ｓ３１２）。装置表示部２５６は、図５（ｂ）に示すように、１または複数のアイコン２８２（図５（ｂ）中、２８２ａ〜２８２ｅで示す）を含んで構成されるＧＵＩ用の画像２８０を表示する。
【００５５】
ここで、図５（ｂ）に示すように、ユーザによるタッチパネル２５０ａへの操作入力に基づいて、ＧＵＩ用の画像２８０に含まれるアイコン２８２ａが選択されると（Ｓ３１４）、端末制御部２６２は、アイコン２８２ａが選択された旨、すなわちアイコン「アルバム」が選択された旨を示す制御信号（以下、単にアルバム選択制御信号と略す）を、データ通信部２５２を通じて携帯端末１１０に送信する（Ｓ３１６）。
【００５６】
制御信号送信ステップＳ３１６で操作装置２１０から送信された、アルバム選択制御信号を受信すると（Ｓ３１８）、携帯端末１１０は、アイコン「アルバム」を選択する操作を実行し（Ｓ３２０）、アイコン「アルバム」を選択したことによって展開されるアイコンの内容をそれぞれ示す１または複数の操作内容データ（以下、タイトル操作内容データと略す）を操作装置２１０に送信する（Ｓ３２２）。
【００５７】
続いて、操作装置２１０は、携帯端末１１０から送信された１または複数のタイトル操作内容データを受信し（Ｓ３２４）、表示制御部２６４は、１または複数のタイトル操作内容データを再構築してリスト化し（Ｓ３２６）、１または複数のタイトル操作内容データをそれぞれ示す１または複数のアイコンを含んで構成されるＧＵＩ用の画像２８４を装置表示部２５６に表示させる（Ｓ３２８）。装置表示部２５６は、図６（ａ）に示すように、１または複数のアイコン２８６（図６（ａ）中、２８６ａ〜２８６ｇで示す）を含んで構成されるＧＵＩ用の画像２８４を表示する。
【００５８】
ここで、ユーザによるタッチパネル２５０ａへの操作入力に基づいて、ＧＵＩ用の画像２８４に含まれるアイコン２８６ｂが選択されると（Ｓ３３０）、端末制御部２６２は、アイコン２８６ｂが選択された旨、すなわちアルバムのタイトル（名称）を示すアイコン「ＢＢＢ」が選択された旨を示す制御信号（以下、単にタイトル選択制御信号と略す）を、データ通信部２５２を通じて携帯端末１１０に送信する（Ｓ３３２）。
【００５９】
携帯端末１１０は、タイトル選択制御信号を受信し（Ｓ３３４）、アルバムのタイトルを示すアイコン「ＢＢＢ」を選択する操作を実行し（Ｓ３３６）、アルバムのタイトルを示すアイコン「ＢＢＢ」を選択したことによって展開されるアイコンの内容をそれぞれ示す１または複数の操作内容データ（以下、単にコンテンツ操作内容データと略す）を操作装置２１０に送信する（Ｓ３３８）。
【００６０】
続いて、操作装置２１０は、１または複数のコンテンツ操作内容データを受信し（Ｓ３４０）、表示制御部２６４は、１または複数のコンテンツ操作内容データを再構築して（Ｓ３４２）、１または複数のコンテンツ操作内容データをそれぞれ示す１または複数のアイコンを含んで構成されるＧＵＩ用の画像２８８を装置表示部２５６に表示させる（Ｓ３４４）。装置表示部２５６は、図６（ｂ）に示すように、１または複数のアイコン２９０（図６（ｂ）中、２９０ａ〜２９０ｌで示す）を含んで構成されるＧＵＩ用の画像２８８を表示する。
【００６１】
ここで、ユーザによる操作装置２１０のタッチパネル２５０ａへの操作入力に基づいて、ＧＵＩ用の画像２８８に含まれる再生を示すアイコン２９０ｈが選択されると（Ｓ３４６）、端末制御部２６２は、アイコン２９０ｈが選択された旨を示す制御信号（以下、単にコンテンツ再生制御信号と略す）を、データ通信部２５２を通じて携帯端末１１０に送信する（Ｓ３４８）。
【００６２】
このとき、操作主体制御部２６８は、所定の操作（ここでは、コンテンツの再生操作Ｓ３４６）が実行されたのを契機に、切換ステップＳ３０２においてユーザによる操作入力に応じて操作モードが切り換えられる前の操作主体（ここでは、携帯端末１１０）に戻した（切り換えた）旨を示す切換信号を、データ通信部２５２を通じて携帯端末１１０に送信する（Ｓ３５０）。これにより、操作装置２１０を通じた操作入力が制限され、その代わりに携帯端末１１０の端末タッチパネル１１４への操作入力が有効となる。
【００６３】
コンテンツ再生制御信号を受信した携帯端末１１０（Ｓ３５２）は、アルバム「ＢＢＢ」の再生を開始し（Ｓ３５４）、再生した音楽コンテンツの音声信号を、端末通信部１１６を通じて操作装置２１０に送信する（Ｓ３５６）。そして操作装置２１０は、音楽コンテンツの音声信号を受信して（Ｓ３５８）、音声制御部２６６は、操作装置２１０の音声出力部２５８または操作装置２１０に接続されたスピーカを通じて、受信した音楽コンテンツの音声信号に基づく音声を出力する（Ｓ３６０）。
【００６４】
次に操作主体の切り換えに着目して本実施形態の操作方法について説明する。図７は、操作主体の切り換えに着目した操作方法の処理の流れを示すフローチャートである。
【００６５】
図７に示すように、操作モードの切り換えを所望したユーザによる操作部２５０を構成する所定のキー２５０ｂへの操作入力があると（Ｓ４００）、操作主体制御部２６８は、デフォルトで設定されている操作モードとは異なる操作モードに切り換える（Ｓ４０２）。このとき、操作主体制御部２６８は、タイムアウトの時間に相当する第１所定時間を計時する第１タイマおよび再度の操作入力を受け付ける時間である第２所定時間を計時する第２タイマをリセットする。そして、操作主体制御部２６８は、第１タイマで第１所定時間（例えば、３０秒）の計時を開始する（Ｓ４０４）。
【００６６】
続いて、操作主体制御部２６８は、ユーザによる操作部２５０を通じた操作入力があったか否かを判定し（Ｓ４０６）、操作入力がなかった場合（Ｓ４０６におけるＮＯ）、第１タイマにおいて第１所定時間が経過したか否か、すなわち、操作入力がキャンセルされたか否かを判定する（Ｓ４０８）。第１所定時間が経過していれなければ（Ｓ４０８におけるＮＯ）、操作主体制御部２６８は、第２タイマにおいて第２所定時間（例えば、１０秒）が経過しているか否か、すなわち、操作入力を確定してよいか否かを判定する（Ｓ４１０）。第２所定時間が経過していなければ（Ｓ４１０のＮＯ）、操作入力判定ステップＳ４０６に戻る。
【００６７】
操作入力があった場合（ＳＳ４０６におけるＹＥＳ）、操作主体制御部２６８は、第１タイマをリセットし（Ｓ４１２）、この操作入力が所定の操作にかかるものであるか否かを判定する（Ｓ４１４）。所定の操作である場合（Ｓ４１４におけるＹＥＳ）、操作主体制御部２６８は、第２タイマで第２所定時間の計時を開始し（Ｓ４１６）、操作入力判定ステップＳ４０６に戻る。
【００６８】
所定の操作ではない場合（Ｓ４１４におけるＮＯ）、操作主体制御部２６８は、第２所定時間を計時しているタイマを停止し（Ｓ４１８）、かかる第２タイマをリセットして（Ｓ４２０）、操作入力判定ステップＳ４０６に戻る。
【００６９】
第１所定時間経過判定ステップＳ４０８において、第１所定時間が経過したと判定された場合（Ｓ４０８におけるＹＥＳ）または、第２所定時間経過判定ステップＳ４１０において、第２所定時間が経過したと判定された場合（Ｓ４１０におけるＹＥＳ）、操作主体制御部２６８は、操作モードを切換ステップＳ４０２で切り換える前の操作モードに戻す（Ｓ４２２）。
【００７０】
以上説明したように、本実施形態にかかる操作方法は、ユーザによる操作入力に応じて操作主体が切り換えられたとしても、所定の操作が実行されると、操作主体制御部２６８が自動的に操作主体を切り換え前のものに戻す（切り換える）ので、ユーザが自ら操作モードを切り換える回数を少なくすることができる。
【００７１】
（第２の実施形態：操作装置５１０）
図８は、第２の実施形態にかかる操作装置５１０の概略的な機能を示した機能ブロック図である。図８に示すように、操作装置５１０は、操作部２５０と、データ通信部２５２と、音声入力部２５４と、装置表示部２５６と、音声出力部２５８と、検出センサ５２０と、中央制御部５６０とを含んで構成される。中央制御部５６０には、中央処理装置（ＣＰＵ）や信号処理装置（ＤＳＰ）、プログラム等が格納されたＲＯＭやメモリ、ワークエリアとしてのＲＡＭ等を含む半導体集積回路を用いることができ、中央制御部５６０は、操作装置５１０全体を管理および制御する。また、本実施形態において、中央制御部５６０は、端末制御部２６２、表示制御部２６４、音声制御部２６６、操作主体制御部５６８としても機能する。
【００７２】
第１の実施形態における構成要素として既に述べた操作部２５０、データ通信部２５２、音声入力部２５４、装置表示部２５６、音声出力部２５８、端末制御部２６２、表示制御部２６４、音声制御部２６６は、実質的に機能が等しいので重複説明を省略し、ここでは、構成が相違する検出センサ５２０および操作主体制御部５６８を主に説明する。また、本実施形態においても、携帯端末１１０に含まれる音楽コンテンツを再生する場合を例に挙げて説明する。
【００７３】
本実施形態において、操作装置５１０は、例えば、オーディオシステムやカーナビゲーションシステム等の機能も有する車載装置であり、操作装置５１０に設けられた操作部を通じたユーザの操作入力を受けて、操作装置５１０に設けられたオーディオ再生機能やカーナビゲーション機能等様々な機能を実行することができる。また、操作装置５１０は、制御線を介して、上述した別体の携帯端末１１０と接続されることで、ユーザの操作入力を受けて、携帯端末１１０を操作することもできる。操作装置５１０は、搭乗者がいる確率が高い運転席や助手席等に近い位置に設置されるため、運転席や助手席にいるユーザが操作装置５１０を操作することができ、一方、携帯端末１１０は、自由に移動させることができるので、リアシート等にいるユーザも携帯端末１１０を操作することが可能である。
【００７４】
検出センサ５２０は、操作装置５１０が搭載された車両の車軸の回転数に基づいて、操作装置５１０が搭載された車両の走行状態を検出する。また、検出センサ５２０は、操作装置５１０自体に設けられた加速度センサまたはＧＰＳに基づいて、走行状態を検出してもよいし、精度を上げるために加速度センサおよびＧＰＳを併用して走行状態を検出してもよい。
【００７５】
かかる構成により、車両の走行状態を検出するためのセンサを操作装置５１０に別途設けずとも、操作装置５１０に既に備わっている機能である加速度センサやＧＰＳを有効利用することができる。
【００７６】
なお、ここでは、検出センサ５２０が操作装置５１０に設けられている構成について説明したが、外部の機器、例えば携帯端末１１０に設けられた加速度センサやＧＰＳ、車両に既に備わっている速度計を検出センサとして利用することもできる。この場合、後述する操作主体制御部５６８は、外部の機器に設けられた検出センサから、操作装置５１０が搭載された車両の走行状態を示す走行状態情報を取得する。
【００７７】
操作主体制御部５６８は、検出センサ５２０から、操作装置５１０が搭載された車両の走行状態を示す走行状態情報を取得する。そして、操作主体制御部５６８は、操作主体が操作装置５１０となっているとき、すなわち間接操作モードであるとき、取得した走行状態情報が示す車両の走行状態が所定速度（例えば１０ｋｍ／ｈ）未満になると、操作主体を操作装置５１０から携帯端末１１０に、すなわち直接操作モードに切り換える。また操作主体制御部５６８は、取得した走行状態情報が示す車両の走行状態が所定速度以上になると、操作主体を携帯端末１１０から操作装置５１０（間接操作モード）に切り換える。
【００７８】
操作装置５１０は、携帯端末１１０よりも運転席の近くに設置されるため、ユーザは、操作装置５１０に手が届きやすい。また、携帯端末１１０の端末表示部１１２よりも装置表示部２５６の方が大きいため、ユーザは、装置表示部２５６の方が視認しやすい。さらに、携帯端末１１０と比較して操作装置５１０の方が、操作が簡単であるため、車両の走行中は、ユーザに操作装置５１０を通じて携帯端末１１０を動作させた方が、ユーザの使い勝手がよい。
【００７９】
しかし、車両の走行状態が所定速度未満、例えば停車状態になった場合には、操作装置５１０を介すよりも、ユーザが操作慣れしており、細かい操作が可能な携帯端末１１０自体に専用に設けられた端末タッチパネル１１４等の操作部を通じて直接操作した方がユーザにとって利便性は高い。
【００８０】
そこで、操作主体制御部５６８が、車両の走行状態が所定速度未満になると、自動的に操作主体を携帯端末１１０（直接操作モード）に切り換え、車両の走行状態が所定速度以上になると、自動的に操作主体を操作装置５１０（間接操作モード）に切り換えるので、ユーザが自ら操作モードを切り換える回数を少なくすることができ、操作装置２１０の操作モードの切り換えに関する操作性を向上することが可能となる。
【００８１】
なお、本実施形態において操作主体制御部５６８は、車両の走行状態が所定速度未満となったとき直接操作モードに切り換えるが、車両の走行状態が所定速度以上となってもすぐに間接操作モードに切り換えず、所定速度よりも大きい第１閾値となったとき、はじめて間接操作モードに切り換える、所謂ヒステリシス特性を有していてもよい。
【００８２】
かかるヒステリシス特性により、操作主体制御部５６８は、車両の走行状態が所定速度付近で発振した場合においても不要な操作モードの切り換え（チャタリング）を回避することができ、安定した操作モードの切換制御を行うことが可能となる。
【００８３】
また、車両の走行状態が所定速度未満となり、操作主体が携帯端末１１０となっているとき、携帯端末１１０に対して所定の操作が実行されると、操作主体制御部５６８は、操作主体を携帯端末１１０から操作装置５１０に戻す。具体的に操作主体制御部５６８は、所定の操作が実行されると、操作主体を操作装置５１０に戻したことを示す切換信号を携帯端末１１０に送信する。
【００８４】
このように、車両の走行状態が所定速度未満となり、切り換えられた操作主体である携帯端末１１０に対して所定の操作が実行されると、操作主体制御部５６８が操作主体を操作装置５１０に自動的に戻すので、ユーザが自ら操作モードを切り換える手間を省くことができ、操作装置５１０の操作モードの切り換えに関する操作性を向上することが可能となる。
【００８５】
ここで、操作主体制御部５６８が、操作主体を操作装置５１０に戻す契機となる所定の操作は、その後の連続した操作入力を要さない、操作主体を切り換えても支障を来さない、携帯端末１１０の動作を実行する契機となる操作である。この所定の操作は、例えば、携帯端末１１０の記憶媒体が記憶している複数のコンテンツのうちのいずれか１のコンテンツの再生を開始させることを指示する操作である。
【００８６】
したがって、所定の操作は、再生操作を行うためのユーザによる端末タッチパネル１１４への操作入力である。なお、この際、操作装置５１０は、携帯端末１１０が、端末タッチパネル１１４への操作入力に応じて送信する信号を受信したことや、携帯端末１１０の再生操作に伴って送信される音声データを受信したこと等で、携帯端末１１０で所定の操作が行われたと判断する。
【００８７】
上述のような操作を契機として、自動的に操作主体を切り換えるようにすれば、操作主体制御部５６８は、操作主体を切り換える（戻す）ことが好ましい操作に関してのみ自動的な切り換えを実行し、例えば、アルバムのリストページの切換操作や、アルバムの選択操作や、選曲操作等のさらなる操作入力が必要な操作であるにも拘わらず操作主体を自動的に戻すことがないため、より好ましい。
【００８８】
また、操作主体制御部５６８は、車両の走行状態が所定速度未満となり、操作主体を操作装置５１０から携帯端末１１０に切り換えた後、第１所定時間（例えば、３０秒）、携帯端末１１０に対して操作が実行されなかった場合、操作主体を操作装置５１０に戻してもよい。
【００８９】
第１所定時間操作入力がない場合に、操作主体の携帯端末１１０への切り換えが不要となったとみなし、切り換え前の操作主体である操作装置５１０に戻すことで、例えば、渋滞等車両の走行状態が所定速度未満である場合であっても、自動的に操作主体を操作装置５１０に切り換えるので操作主体の再度の切り換えといった操作を行う必要がなくなる。
【００９０】
さらに、本実施形態において、操作主体制御部５６８は、所定の操作が実行されたとしても第２所定時間（例えば１０秒）は、操作主体を操作装置５１０に戻さず（切り換えず）、ユーザによる端末タッチパネル１１４を通じた再度の操作入力を受け付けるように構成してもよい。
【００９１】
かかる構成により、ユーザが誤った操作入力をしてしまった場合でも、操作主体が直ち操作装置５１０に切り換えられることがないため、ユーザは続けて、同じ操作主体（携帯端末１１０）で操作入力を行うことができ、例えば、訂正の操作入力や新たな操作入力が可能となる。
【００９２】
以上説明したように、本実施形態にかかる操作装置５１０によれば、操作主体制御部５６８が、車両の走行状態が所定速度未満になると、自動的に操作主体を携帯端末１１０に切り換え、車両の走行状態が所定速度以上になると、自動的に操作主体を操作装置５１０に切り換えるので、ユーザが自ら操作モードを切り換える回数を少なくすることができる。
【００９３】
また、コンピュータによって、操作装置５１０として機能するプログラムや当該プログラムを記録した記録媒体も提供される。
【００９４】
（操作方法）
また、上述した操作装置５１０を用いた操作方法も提供される。図９は、第２の実施形態にかかる操作方法の処理の流れを説明するためのフローチャートである。なお、上述した第１の実施形態における図７の第１所定時間計時ステップＳ４０４から第２タイマリセットステップＳ４２０については、実質的に機能が等しいので、同一の符号を付して重複説明を省略する。
【００９５】
図９に示すように、操作主体制御部５６８は、まず、検出センサ５２０から、車両の走行状態を示す走行状態情報を取得し、取得した走行状態情報が示す車両の走行状態が所定速度未満であるか否かを判定する（Ｓ６００）。所定速度未満である場合（Ｓ６００におけるＹＥＳ）、現在の操作主体が携帯端末１１０であるか否か、すなわち直接操作モードであるか否かを判定する（Ｓ６０２）。直接操作モードでない場合、すなわち間接操作モードである場合（Ｓ６０２におけるＮＯ）、操作主体制御部５６８は、操作主体を携帯端末１１０（直接操作モード）に切り換え（Ｓ６０４）、タイムアウトの時間に相当する第１所定時間を計時する第１タイマおよび再度の操作入力を受け付ける時間である第２所定時間を計時する第２タイマをリセットする（Ｓ６０６）。現在の操作主体が携帯端末１１０（直接操作モード）である場合（Ｓ６０２におけるＹＥＳ）は、タイマリセットステップＳ６０６の処理を遂行する。
【００９６】
続いて、第１所定時間計時ステップＳ４０４、操作入力判定ステップＳ４０６の処理を遂行し、操作入力がなかった場合（Ｓ４０６におけるＮＯ）、走行状態が所定速度以上であるか否かを判定する（Ｓ６０８）。所定速度以上でない場合（Ｓ６０８におけるＮＯ）、第１所定時間経過判定ステップＳ４０８以降の処理を遂行する。
【００９７】
所定速度以上である場合（Ｓ６０８におけるＹＥＳ）、操作主体制御部５６８は、操作主体を操作装置５１０（間接操作モード）に切り換える（Ｓ６１０）。
【００９８】
以上説明したように、本実施形態にかかる操作方法においても、操作主体制御部５６８が、車両の走行状態が所定速度未満になると、自動的に操作主体を携帯端末１１０（直接操作モード）に切り換え、車両の走行状態が所定速度以上になると、自動的に操作主体を操作装置５１０（間接操作モード）に切り換えるので、ユーザによる操作モードの切り換え回数を少なくすることができる。
【００９９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０１００】
例えば、上述した第２の実施形態における検出センサ５２０は、加速度センサ、ＧＰＳ、速度計で測定した車両の速度に基づいて走行状態を検出しているが、これに限定されず、所定速度未満であるか否か検出できればよく、例えば、車両の振動に基づいて走行状態を検出してもよい。
【０１０１】
また、操作装置２１０、５１０が車載装置であることは、一例であり、これに限らない。
【０１０２】
なお、本明細書の操作方法における各工程は、必ずしもシーケンス図やフローチャートとして記載された順序に沿って時系列に処理する必要はなく、並列的あるいはサブルーチンによる処理を含んでもよい。
【０１０３】
また、本発明は操作装置の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【産業上の利用可能性】
【０１０４】
本発明は、携帯端末を操作することが可能な操作装置、操作方法および操作プログラムに利用することができる。
【符号の説明】
【０１０５】
１００  …操作システム
１１０  …携帯端末
１１２  …端末表示部
１１４  …端末タッチパネル
１１６  …端末通信部
２１０、５１０  …操作装置
２５０  …操作部
２５２  …データ通信部
２５４  …音声入力部
２５６  …装置表示部
２５８  …音声出力部
２６０、５６０  …中央制御部
２６２  …端末制御部
２６４  …表示制御部
２６６  …音声制御部
２６８、５６８  …操作主体制御部
５２０  …検出センサ
【図１】
2012010252.tif 000003
【図２】
2012010252.tif 000004
【図３】
2012010252.tif 000005
【図４】
2012010252.tif 000006
【図５】
2012010252.tif 000007
【図６】
2012010252.tif 000008
【図７】
2012010252.tif 000009
【図８】
2012010252.tif 000010
【図９】
2012010252.tif 000011